【手続補正書】
【提出日】平成17年7月15日(2005.7.15)
【手続補正１】
【補正対象書類名】明細書
【補正対象項目名】特許請求の範囲
【補正方法】変更
【補正の内容】
【特許請求の範囲】
【請求項１】  マルチバイブレータを有する温度計であって、該マルチバイブレータが、関連する第１と第２の導通路を有するコンデンサであって、該第１と第２の導通路のうちの一方が前記コンデンサの充電のための導通路であり、他方が前記コンデンサの放電のための導通路であるものを具備すると共に、少なくとも第１と第２の抵抗も具備しており、前記第１と第２の抵抗が前記第１の導通路に接続されているが、前記第２の導通路に前記第１の抵抗は接続されるが前記第２の抵抗は接続されないことと、前記第１の抵抗が実質的に温度に依存しない抵抗値を有し、更に、前記第２の抵抗が温度と共に変動する抵抗値であって、温度の関数によるものを有することを特徴とする温度計。
【請求項２】  前記マルチバイブレータが、第３の抵抗を具備し該抵抗が実質的に温度に依存しない抵抗値であって、前記第１の抵抗の抵抗値の整数倍の抵抗値とほとんど同じであるものを有し、更に、前記第１と第２と第３の抵抗は前記コンデンサの第１の導通路において直列に接続され、一方、第２の導通路に前記第１の抵抗は接続されるが前記第２と第３の抵抗は接続されないことを特徴とする前記請求項１に記載の温度計。
【請求項３】  基準温度における前記第２の抵抗の抵抗値が、前記第１の抵抗の抵抗値と実質的に同じであることを特徴とする前記請求項１に記載の温度計。
【請求項４】  前記マルチバイブレータが、タイプ５５５のタイマー回路を具備することを特徴とする前記請求項１に記載の温度計。
【請求項５】  前記第１の導通路が充電路であり、前記第２の導通路が放電路であることを特徴とする前記請求項１に記載の温度計。
【請求項６】  マルチバイブレータを提供する工程であって、該マルチバイブレータが、関連する第１と第２の導通路を有するコンデンサであって、該第１と第２の導通路のうちの一方が前記コンデンサの充電のための導通路であり、他方が前記コンデンサの放電のための導通路であるものを具備すると共に、そして少なくとも第１と第２の抵抗も具備し、該第１と第２の抵抗が前記第１の導通路に接続され、一方、前記第２の導通路に前記第１の抵抗は接続されるが前記第２の抵抗は接続されず、前記第１と第２の抵抗が実質的に温度に依存しない抵抗値をそれぞれ有する工程と、
前記コンデンサの充電時間と放電時間を測定して、該充放電時間に基づいてセル関数の基準値を計算する工程と、
前記第２の抵抗を温度依存抵抗に置換する工程とからなる温度計の製造方法。
【請求項７】  更に、前記温度依存抵抗と測定されるべき温度にある領域の間に熱平衡を確立する工程と、
前記コンデンサの充電と放電時間を測定して、セル関数の第２の値を計算する工程と、
前記セル関数の基準値と前記セル関数の第２の値に基づいて温度の値を計算する工程を具備することを特徴とする前記請求項６に記載の方法。
【請求項８】  更に、前記セル関数の基準値を記憶する工程を具備することを特徴とする前記請求項６に記載の方法。
【請求項９】  更に、前記セル定数である別の数値を記憶する工程を具備することを特徴とする前記請求項８に記載の方法。
【請求項１０】  マルチバイブレータを提供する工程であって、該マルチバイブレータが、関連する第１と第２の導通路を有するコンデンサであって、該第１と第２の導通路のうちの一方が前記コンデンサの充電のための導通路であり、他方が前記コンデンサの放電のための導通路であるものを具備すると共に、少なくとも第１と第２の抵抗も具備しており、該第１と第２の抵抗が前記第１の導通路に接続され、一方、前記第２の導通路に前記第１の抵抗は接続されるが前記第２の抵抗は接続されておらず、前記第１の抵抗が実質的に温度に依存しない抵抗値を有し、更に、前記第２の抵抗が温度と共に変動する抵抗値であって、温度の関数によるものを有し、基準温度における前記第２の抵抗の抵抗値が前記第１の抵抗の抵抗値と実質的に同じである工程と、
前記基準温度における前記コンデンサの充電時間と放電時間を測定して、セル関数の値を計算する工程と、
前記セル関数の値を記憶する工程とからなる温度計の製造方法。
【請求項１１】  関連する第１と第２の導通路を有するコンデンサであって、該第１と第２の導通路のうちの一方がコンデンサの充電のための導通路であり、他方がコンデンサの放電のための導通路であるものを具備すると共に、少なくとも第１と第２の抵抗も具備するマルチバイブレータであって、前記第１と第２の抵抗が前記第１の導通路において直列に接続されているが、前記第２の導通路に前記第１の抵抗は接続されるが前記第２の抵抗は接続されておらず、前記第１の抵抗が実質的に温度に依存しない抵抗値を有し、更に、前記第２の抵抗が温度と共に変動する抵抗値であって、温度の関数によるものを有するマルチバイブレータと、
前記コンデンサの充電時間の長さと放電時間の長さを測定し、該放電時間の該充電時間に対する比を計算する手段と、
該比に対応する温度の値を計算するために前記比を受信機に送信する手段とからなる温度計。
【請求項１２】  抵抗器を有するパルス発生器であって、前記抵抗器の抵抗に応じた動作期間のパルスを発生するものと、前記パルスの動作期間を測定して該動作期間の測定値に依存した値を出力する動作期間測定回路を具備し、前記抵抗器が抵抗のゼロでない温度係数を有する温度測定機器。
【請求項１３】  前記機器に固有のシリアル番号を記憶する手段と、前記機器のシリアル番号を前記動作期間の測定値に組み合わせて出力データワードを生成する手段とからなることを特徴とする前記請求項１２に記載の機器。
【請求項１４】  前記機器に固有のシリアル番号を記憶する手段と、エラー検出数値を計算する手段と、前記機器のシリアル番号を前記動作期間の測定値とエラー検出数値に組み合わせて出力データワードを生成する手段とからなることを特徴とする前記請求項１２に記載の機器。
【請求項１５】  将来の時間を一連の送信インターバルに分解し、更に、それぞれの送信インターバルを複数の送信スロットに分解する手段と、予め決められたアルゴリズムに基づいて擬乱数を計算する手段と、計算された擬乱数に基づいて前記送信スロットの内の一つを選択する手段と、該被選択送信スロットの最中に前記値を送信する手段を有することを特徴とする前記請求項１２に記載の機器。
【請求項１６】  前記予め決められたアルゴリズムに基づいて前記擬乱数を計算する手段を有する受信機と組み合わされて、該受信機が前記値の送信時間を予測することができることを特徴とする前記請求項１５に記載の機器。
【請求項１７】  前記測定値に基づいて前記データワードを生成する手段を有する温度測定機器であって、前記データワードに従って搬送波を変調するＲＦ送信機と周期的に該ＲＦ送信機を操縦する手段とを組み合わされたものであるであることを特徴とする前記請求項１２に記載の機器。
【請求項１８】  パルス発生器の起動を制御する手段を具備することを特徴とする前記請求項１２に記載の機器。
【請求項１９】  パラメータの値を測定するための測定システムであって、該パラメータを感知するセンサー機器と送信機器とフォト検出器と制御機器を有する送信ユニットと、通電されて起動信号と確認信号を発する発光機器とを有する受信ユニットを具備し、
前記フォト検出器が前記起動信号と確認信号を前記制御機器に送り、該制御機器が前記起動信号に応答して送信機ユニットを起動開始すると共に、前記起動信号の後の所定の期間内において前記確認信号に応答して送信機ユニットの起動を確実にする測定システム。
【請求項２０】  パラメータの値を示しているデータを受信してその値を送信する送信機と、該送信機からの送信を受信するための受信機とからなる測定システムであって、前記送信機が将来の時間を一連の送信インターバルに分解し、更に、それぞれの送信インターバルを複数の送信スロットに分解する手段と、予め決められたアルゴリズムに基づいて数値を計算する手段と、計算された数値に基づいて前記送信スロットの内の一つを選択する手段と、該被選択送信スロットの最中に前記パラメータの値を送信する手段を有し、更に、前記受信機が送信機がいつ前記パラメータの値を送信するのかを予測して、受信機が前記被選択送信スロットの最中において送信機からの送信を受信することを可能にする予測手段を有する、パラメータの値を測定する測定システム。
【請求項２１】  前記計算手段が擬乱数を計算し、前記予測手段が前記予め決められたアルゴリズムに基づいて同じ擬乱数を計算することを特徴とする前記請求項２０に記載の測定システム。
【請求項２２】  前記計算手段がシード値に基づいて前記数値を計算することを特徴とする前記請求項２０に記載の測定システム。
【請求項２３】  少なくとも第１と第２の感知機器であってそれぞれの値を表すデータを送信機に提供するものと、前記予め決められたアルゴリズムに基づいて第１と第２の異なる数を計算する手段を具備することを特徴とする前記請求項２０に記載の測定システム。
【請求項２４】  第１と第２の識別番号がそれぞれ第１と第２の感知機器に関連付けされており、前記計算手段がそれぞれ第１と第２のシード値に基づいて前記第１と第２の数値を計算し、前記第１と第２のシード値がそれぞれ前記第１と第２の識別番号に関連していることを特徴とする前記請求項２３に記載の測定システム。
【請求項２５】  前記第１と第２の感知機器がそれぞれの異なるパラメータに反応することを特徴とする前記請求項２３に記載の測定システム。
【請求項２６】  前記パラメータの内の少なくとも一つが温度であることを特徴とする前記請求項２５に記載の測定システム。
【請求項２７】  前記パラメータが温度であることを特徴とする前記請求項２０に記載の測定システム。
【請求項２８】  送信機がＲＦ回路を有し、更に、前記被選択送信スロットの最中において送信機が前記ＲＦ回路を間欠的に起動する制御器を有することを特徴とする前記請求項２０に記載の測定システム。
【請求項２９】  前記データを送信機に提供する感知機器を有し、前記制御器が周期的に前記感知機器を起動することを特徴とする前記請求項２０に記載の測定システム。
【請求項３０】  生理的パラメータの値を測定するための測定システムであって、  
該生理的パラメータを感知するセンサー機器と送信機器とフォト検出器と制御機器を具備する送信ユニットであって活動状態になり、そのときに、前記センサー機器が前記生理的なパラメータに依存する特性を有するセンサー信号を発生し、前記送信機器が前記センサー信号の特性に依存して送信機信号を発するが、前記送信ユニットは非活動状態になることもあるものと、
発光機器を有する受信ユニットを具備し、
前記送信ユニットが非活動状態にあるときに前記受信ユニットの発光機器が起動されて起動信号と確認信号を発し、前記送信機ユニットのフォト検出器が前記起動信号に応答して前記送信ユニットを活動開始にすると共に、前記起動信号の後の所定の期間内において前記確認信号に応答して送信ユニットの起動を確実にすることを特徴とする測定システム。
【請求項３１】 前記パルス発生器がコンデンサを有するマルチバイブレータであり、前記抵抗が前記コンデンサと充電又は放電の関係を有して接続されていることを特徴とする前記請求項１２に記載の温度測定機器。
【請求項３２】前記送信ユニットが、センサ信号の特性値を計測すると共に該計測特性値に依存した計測信号を発生する計測機器を有し、前記送信機器が計測信号を受信することを特徴とする前記請求項３０に記載の測定システム。
【請求項３３】前記送信ユニットが、送信ユニットの確認な起動に応答して作動し、該送信ユニットを識別する識別コードを含む信号を送信する送信機器を駆動する確認手段を具備すると共に、前記受信ユニットが前記識別コードを受信する手段を具備することを特徴とする前記請求項１９に記載の測定システム。
【請求項３４】送信機器によって送信される信号が、前記送信ユニットと受信ユニットの動作の同期を取るための信号要素を含んでいることを特徴とする前記請求項３３に記載の測定システム。  

【請求項３５】前記送信ユニットが、センサー機器に応答して、パラメータの値を計測する計測機器を具備すると共に、送信機器によって送信された信号が該パラメータの測定値によってコード化されることを特徴とする前記請求項１９に記載の測定システム。
【手続補正２】
【補正対象書類名】明細書
【補正対象項目名】０００１
【補正方法】削除
【補正の内容】
【手続補正３】
【補正対象書類名】明細書
【補正対象項目名】００１０
【補正方法】変更
【補正の内容】
【００１０】
体内に摂取可能なカプセルに使用されるバッテリーが蓄電中の電流漏出を阻止するために、先行技術は、バッテリーと回路素子の間に磁性リードスイッチを置いている。反対に、機器は、磁石にごく接近させたままで機器を不活動状態に維持するようにして蓄電されねばならない。若しくは、それがLesho他に開示されたような充電可能なバッテリーと充電器を使用しなければならない。
【手続補正４】
【補正対象書類名】明細書
【補正対象項目名】００１３
【補正方法】変更
【補正の内容】
【００１３】
我々の発明は、好適な実施の形態においては、マルチバイブレータ回路として、ＣＭＯＳ  ５５５タイマーを採用する。しかしながら、他の発振器設計も他の用途と同様に使用できる。例えば、より大きな高圧電源が利用可能であるときには、我々の方法は、バイポーラである５Ｖの５５５タイマーと共に使用される。
【手続補正５】
【補正対象書類名】明細書
【補正対象項目名】００１６
【補正方法】変更
【補正の内容】
【００１６】
本発明の第１の側面の好適な実施の形態の第３の新規な特徴は、基準固定抵抗器が、温度依存抵抗器がある固有の温度で安定であるときの温度依存抵抗器の正確な倍数値であることである。サーミスタにとって、この固有の温度は、「基準温度」として知られており、固有温度でのサーミスタの抵抗は基準抵抗として知られている。理想的には、倍数値は、正の整数であり、好適には、１である。
【手続補正６】
【補正対象書類名】明細書
【補正対象項目名】００１７
【補正方法】変更
【補正の内容】
【００１７】
本発明の第１の側面の好適な実施の形態の第４の新規な特徴は、温度依存抵抗に代わって既知の値の基準抵抗を用いることによって、セル定数がセンサーの組み立て中に測定されることができることであり、そして、この方法は恒温浸漬バス又はチャンバの使用を必要としない。
【手続補正７】
【補正対象書類名】明細書
【補正対象項目名】００１９
【補正方法】変更
【補正の内容】
【００１９】
この測定機器は、以下の３つの電気的サブシステムを有する。すなわち、サーミスタ制御マルチバイブレータセンサー回路と、低電力マイクロ制御器と、被変調送信機である。高精度のサーミスタは、非安定マルチバイブレータ構成体に接続された集積回路タイマーに可変充電素子を提供する。マルチバイブレータはパルスを発生するが、その動作期間はサーミスタ充電素子が変化するときに変わる。そのパルスは、低電力マイクロ制御器によってカウントされて、同じマイクロ制御器によってデジタル数値に変換され一時的にメモリに記憶される。デジタル数値が一度決定されると、マイクロ制御器はマルチバイブレータへの電源供給を停止してバッテリー電源を保持する。
【手続補正８】
【補正対象書類名】明細書
【補正対象項目名】００２０
【補正方法】変更
【補正の内容】
【００２０】
それ自身のクロックとシード値を用いて、マイクロ制御器は擬乱数を計算して次のデータ送信の開始を決定する。そして、マイクロ制御器はデータワードを構築するが、そのデータワードは、現状の基準クロック値と、マルチバイブレータのカウントからのデジタル数値と、製造中にマイクロ制御器に予め記憶されていた固有のシリアル番号と、データワードの他の値から計算されたエラー検出数値で構成される。このデータワードは、非常に独特なビット値によってインターリーブされ、プレアンブル及び同期ワードに付加されてデータパケットを構成する。次の送信時に、マイクロ制御器は、ＲＦ送信機を活動状態にしてそのデータパケットをＲＦ送信機の変調部に送り始める。
【手続補正９】
【補正対象書類名】明細書
【補正対象項目名】００２９
【補正方法】変更
【補正の内容】
【００２９】
本発明の第２の側面の好適な実施の形態の第２の新規な特徴は、固有のシリアル番号が機器のマイクロ制御器のメモリに記憶され、被測定温度数値と共に送信されて特別に機器を特定することである。そのシリアル番号は、生理的パラメータ（心臓鼓動速度や血圧や温度など）や挙動に関するパラメータや、環境状態パラメータや、検出状態パラメータのうちのいずれが測定中なのかを示すセンサー識別子を含んでいる。
【手続補正１０】
【補正対象書類名】明細書
【補正対象項目名】００４０
【補正方法】変更
【補正の内容】
【００４０】
これらの式において、ＡとＢはコンデンサＣ２の値と５５５タイマーの他の特性に依存したファクタである。
【手続補正１１】
【補正対象書類名】明細書
【補正対象項目名】００４２
【補正方法】変更
【補正の内容】
【００４２】
その比はギリシャ文字「γ」によって示され、この関数を次のようなセンサー式とする。
【数５】
2004515775.tif 000001
【手続補正１２】
【補正対象書類名】明細書
【補正対象項目名】００４７
【補正方法】変更
【補正の内容】
【００４７】
このように、セル定数は比ｔｄ／ｔｃの測定値を（２＋ｎ）で割ったものと同じである。一度セル定数が測定されると、固定抵抗器は取り除かれてサーミスタが取り付けられる。セルが構築されるときに、この測定は一度だけ行われる必要があり、この方法はパーソナルコンピュータと小型検出器セットの使用によって容易に自動化できる。セル定数が一度分かると、それがセンサーマイクロ制御器のオンボードのメモリに記憶される。
【手続補正１３】
【補正対象書類名】明細書
【補正対象項目名】００４８
【補正方法】変更
【補正の内容】
【００４８】
実際の温度測定にとっては、セル式が反転されて熱関数θ（Ｔ）を生成する。温度Ｔにおける熱関数は、温度Ｔにおけるサーミスタ抵抗の基準温度２５℃におけるサーミスタ抵抗の比である。以下の式となる。
【数８】
2004515775.tif 000002
【手続補正１４】
【補正対象書類名】明細書
【補正対象項目名】００５１
【補正方法】変更
【補正の内容】
【００５１】
この係数ａ、ｂ、ｃは一定であり、サーミスタを製造するために使用された材料の特性による。最高の精度にするために、医療グレードのサーミスタが使用されるが、その係数はサーミスタの供給者にとって非常に正確に知られているし、提供されている。
【手続補正１５】
【補正対象書類名】明細書
【補正対象項目名】００５６
【補正方法】変更
【補正の内容】
【００５６】
本発明の第２の側面に関連する温度測定機器の送信ユニットの電子構成部品の構成を示すブロック図が図３に示されている。電子機器は、マルチバイブレータ２に可変充電素子として接続された精密なサーミスタ１と、カウンタータイマー４とクロック発振機５とデータパケットコード化器１０と帯域阻止フィルター１４と電源制御入出力部８を内蔵するマイクロ制御器３と、ＩＲ感応フォト検出器７と、変調器とアンテナを内蔵するＲＦ送信機６とからなる。
【手続補正１６】
【補正対象書類名】明細書
【補正対象項目名】００５７
【補正方法】変更
【補正の内容】
【００５７】
マルチバイブレータは、サーミスタ１とコンデンサに図１に関連して説明された方法で接続された５５５タイマーを具備することもできる。マルチバイブレータ出力ＯＵＴＰＵＴは、マイクロ制御器のカウンタータイマー回路の入力ポートに接続されている。マイクロ制御器のタイマーカウンターは、放電サイクル中のクロックサイクル数と隣接する充電サイクル中のクロック数をカウントし、そして、これらの二つの数を記憶する。放電サイクル中のカウント値が帯域阻止フィルターの限界値と比較される。放電サイクルのカウント値が帯域フィルターの両限界値の上又は下である場合、それは充電サイクルの対応するカウントと共に阻止される。この阻止フィルターは、タイマーカウンターのミストリガによって生じる誤カウントを排除する。放電サイクルのカウント値が帯域フィルターの両限界値内に存在する場合、充電サイクルの対応するカウントによって分割され、そして、サンプル数の検数が一だけインクリメントされる。そして、放電カウント対充電カウントの比が、連続総計を開始するためにメモリ内に記憶される。放電及び充電サイクル中にクロックをカウントするプロセスが、決められた回数繰り返されて、各対のカウントが阻止されるか又は分割されてその比がメモリ内の連続総計に加えられる。カウントプロセスが完了したとき、各比の連続総計がサンプル総計の数によって割られて、そのサンプル期間の放電カウント対充電カウントの平均比が得られる。その平均比がいくつかのサンプル期間の間で集められて、それらの値が更に平均化されて、結果的にほとんどノイズのない放電カウント対充電カウントの最終比が得られる。この最終比が、それが送信される時点まで、マイクロ制御器のメモリにデジタル数値として記憶される。
【手続補正１７】
【補正対象書類名】明細書
【補正対象項目名】００６１
【補正方法】変更
【補正の内容】
【００６１】
図３に戻って言及すると、マイクロ制御器に集積されたクロック発振機５が擬乱数アルゴリズムに基準時を提供する。擬乱数アルゴリズムからの時点は、次の送信が生じるべき時の基準クロックの値を計算するために使用される。
【手続補正１８】
【補正対象書類名】明細書
【補正対象項目名】００６８
【補正方法】変更
【補正の内容】
【００６８】
ＰＮＧシーケンサー１０は、マイクロ制御器のクロック１７を利用していくつかの個々の感知機器にする送信インターバルを追跡するが、該感知機器は感温機器であってもよいし、他のパラメータに対して感知可能なものでもよい。それぞれの感知機器にプログラムされた同じ擬乱数アルゴリズムがＰＮＧシーケンサー１０にプログラムされる。その擬乱数アルゴリズムと、感知機器から転送されたシード値を利用して、ＰＮＧシーケンサー１０は何時次の送信が起こるのか、そして、どの感知機器が送信するのかを予測可能にする。次に予想される送信の直前において、受信ラジオ１は、マイクロ制御器によって起動される。
【手続補正１９】
【補正対象書類名】明細書
【補正対象項目名】００６９
【補正方法】変更
【補正の内容】
【００６９】
キーパッド１６の一部であってもよい押しボタンが、新たな温度測定機器（又は、他の感知機器）の起動を開始する。起動ルーティンの間において、マイクロ制御器はＩＲ  ＬＥＤ９を介してメッセージを温度測定機器に送る。若干の遅延の後で、マイクロ制御器１４は、同じＩＲ  ＬＥＤを用いて補償値と機器のシリアル番号を要求する。ラジオ１は起動して、温度測定機器から送信されたメッセージを受け取る。ＰＮＧシーケンサー１０は、シリアル番号を使用して固有のシード値を計算し、ＩＲ  ＬＥＤを介してそのシード値を温度測定機器に出力する。その機器は予め決められたデータパケットと共に応答する。受信ユニットは、データパケットの有効性を検証する。データパケットの有効（又は無効）がＬＣＤ８に表示される。